(57)【要約】【課題】安全性に優れる法面用ハーネス型安全帯の提供。【解決手段】ハーネス型安全帯２は、一対の肩掛けベルト２８と一対の腿掛けベルト３０とを備える主ベルト４と、装着者の臀部に当接するバックサイドベルト６と、一体化ベルト８とを備えている。一体化ベルト８とバックサイドベルト６とが着脱不可の状態で連結されている。一体化ベルト８と肩掛けベルト２８とが着脱不可の状態で連結されている。好ましくは、一体化ベルト８は、それぞれの肩掛けベルト２８と交差する位置に環状に形成されたベルト側重合部３４ｂを備えている。それぞれの肩掛けベルト２８は、ベルト側重合部３４ｂに通されて肩掛けベルト２８と一体化ベルト８とが連結されている。【選択図】図１
2020110275.tif 000002
【特許請求の範囲】
【請求項１】
一対の肩掛けベルトと一対の腿掛けベルトとを備える主ベルトと、装着者の臀部に当接するバックサイドベルトと、前記バックサイドベルトの上方で装着者の背面の左右方向に延びる一体化ベルトとを備えており、
前記一体化ベルトと前記バックサイドベルトとが着脱不可の状態で連結されており、
前記一体化ベルトとそれぞれの肩掛けベルトとが着脱不可の状態で連結されている、法面用ハーネス型安全帯。
【請求項２】
前記一体化ベルトが前記肩掛けベルトと交差する位置に環状に形成されたベルト側重合部を備えており、
前記肩掛けベルトが前記ベルト側重合部に通されて前記肩掛けベルトと前記一体化ベルトとが連結されている、請求項１に記載の法面用ハーネス型安全帯。
【請求項３】
前記バックサイドベルトの左右端部に連結され上方に延びる一対の端部吊りベルトを備えており、
それぞれの端部吊りベルトが環状に形成された端部吊り重合部を備えており、
前記端部吊り重合部と前記一体化ベルトの前記ベルト側重合部とが互いに通されている、請求項２に記載の法面用ハーネス型安全帯。
【請求項４】
前記肩掛けベルトが前記一体化ベルトが交差する位置に縫着されて環状に形成されたハーネス重合部を備えており、
前記ベルト側重合部と前記ハーネス重合部とが互いに通されている、請求項２又は３に記載の法面用ハーネス型安全帯。
【請求項５】
前記一対の肩掛けベルトが装着者の背面で交差して後交差部を形成しており、
前記一体化ベルトの背面における左右方向中央部と前記後交差部とを連結する胴吊りベルトを備えている、請求項１から４のいずれかに記載の法面用ハーネス型安全帯。
【請求項６】
前記胴吊りベルトが環状に形成された胴吊り重合部を備えており、
前記一体化ベルトが前記左右方向中央部に位置して環状に形成されたベルト中央重合部を備えており、
前記胴吊り重合部と前記ベルト中央重合部とが互いに通されている、請求項５に記載の法面用ハーネス型安全帯。
【請求項７】
装着者の胴に巻かれる胴ベルトを備えており、
前記一体化ベルトが一体化ベルト本体と前記一体化ベルト本体の端部に位置して前記胴ベルトが着脱可能に通される一対のベルト通し具を備えており、
前記一体化ベルトが装着者の背面の胴回りに前記胴ベルトに沿って延びており、それぞれのベルト通し具に前記胴ベルトが通されている、請求項１から６のいずれかに記載の法面用ハーネス型安全帯。
【請求項８】
前記一対の肩掛けベルトが装着者の前面で交差して前交差部を形成しており、
少なくとも一方の肩掛けベルトを連結解除可能に連結する連結具を備えている、請求項１から７のいずれかに記載の、法面用ハーネス型安全帯。
【発明の詳細な説明】
【技術分野】
【０００１】
本発明は、法面用ハーネス型安全帯に関する。
【背景技術】
【０００２】
特許文献１（特開２０１７−２０５２１６号公報）には、法面での作業に使用されるハーネス型安全帯と尻当てとが記載されている。このハーネス型安全帯は、腰ベルトと、腰ベルトに取り付けられた尻当てと共に使用される。この尻当ては、法面での作業において、作業者の臀部に当接する。作業者が装着したハーネス型安全帯が命綱に連結される。このハーネス型安全帯は安全性に優れる。このハーネス型安全帯と尻当てとを使用することで、法面での作業の安全性が向上する。
【先行技術文献】
【特許文献】
【０００３】
【特許文献１】特開２０１７−２０５２１６号公報
【発明の概要】
【発明が解決しようとする課題】
【０００４】
ハーネス型安全帯と尻当てとを両方装着することは、手間が係る。そこで、このハーネス型安全帯と尻当てとの組み合わせに代えて、腰ベルトと尻当てとを装着して、ハーネス型安全帯を装着せずに、法面作業をすることが考えられる。しかしながら、この様な使用は、安全性に劣る。
【０００５】
本発明の目的は、安全性に優れる法面用ハーネス型安全帯の提供にある。
【課題を解決するための手段】
【０００６】
本発明に係る法面用ハーネス型安全帯は、一対の肩掛けベルトと一対の腿掛けベルトとを備える主ベルトと、装着者の臀部に当接するバックサイドベルトと、前記バックサイドベルトの上方で装着者の背面の左右方向に延びる一体化ベルトとを備えている。前記一体化ベルトと前記バックサイドベルトとは、着脱不可の状態で連結されている。前記一体化ベルトとそれぞれの肩掛けベルトとは、着脱不可の状態で連結されている。
【０００７】
好ましくは、前記一体化ベルトは、前記肩掛けベルトと交差する位置に環状に形成されたベルト側重合部を備えている。前記肩掛けベルトが前記ベルト側重合部に通されて、前記肩掛けベルトと前記一体化ベルトとは連結されている。
【０００８】
好ましくは、この法面用ハーネス型安全帯は、前記バックサイドベルトの左右端部に連結され上方に延びる一対の端部吊りベルトを備えている。それぞれの端部吊りベルトは、環状に形成された端部吊り重合部を備えている。前記端部吊り重合部と前記一体化ベルトの前記ベルト側重合部とが互いに通されている。
【０００９】
好ましくは、前記肩掛けベルトは、前記一体化ベルトが交差する位置に、縫着されて環状に形成されたハーネス重合部を備えている。前記ベルト側重合部と前記ハーネス重合部とが互いに通されている。
【００１０】
好ましくは、前記一対の肩掛けベルトは、装着者の背面で交差して後交差部を形成している。この法面用ハーネス型安全帯は、前記一体化ベルトの背面における左右方向中央部と前記後交差部とを連結する胴吊りベルトを備えている。
【００１１】
好ましくは、前記胴吊りベルトは、環状に形成された胴吊り重合部を備えている。前記一体化ベルトは、前記左右方向中央部に位置して環状に形成されたベルト中央重合部を備えている。前記胴吊り重合部と前記ベルト中央重合部とは互いに通されている。
【００１２】
好ましくは、この法面用ハーネス型安全帯は、装着者の胴に巻かれる胴ベルトを備えている。前記一体化ベルトは、一体化ベルト本体と前記一体化ベルト本体の端部に位置して前記胴ベルトが着脱可能に通される一対のベルト通し具を備えている。前記一体化ベルトが装着者の背面の胴回りに前記胴ベルトに沿って延びており、それぞれのベルト通し具に前記胴ベルトが通されている。
【００１３】
好ましくは、前記一対の肩掛けベルトは、装着者の前面で交差して前交差部を形成している。この法面用ハーネス型安全帯は、少なくとも一方の肩掛けベルトを連結解除可能に連結する連結具を備えている。
【発明の効果】
【００１４】
本発明に係る法面用ハーネス型安全帯では、一体化ベルトと尻当てとしてのバックサイドベルトとは、着脱不可の状態で連結されている。主ベルトの肩掛けベルトと一体化ベルトとが着脱不可の状態で連結されている。従って、バックサイドベルトが使用される際に、主ベルトが使用される。この法面用ハーネス型安全帯は、法面での作業の安全性に優れる。
【図面の簡単な説明】
【００１５】
【図１】図１は、本発明の一実施形態に係る法面用ハーネス型安全帯が示された説明図である。
【図２】図２は、図１の二点鎖線IIで示された部分の拡大斜視図である。
【図３】図３は、図２の線分III−IIIに沿った断面図である。
【図４】図４は、図２の線分IV−IVに沿った断面図である。
【図５】図５は、図１の線分Ｖ−Ｖに沿った断面図である。
【図６】図６は、図１の線分VI−VIに沿った断面図である。
【図７】図７は、本発明の他の実施形態に係る法面用ハーネス型安全帯が示された説明図である。
【図８】図８は、図７の線分VIII−VIIIに沿った断面図である。
【図９】図９は、図７の法面用ハーネス型安全帯の使用状態の説明図である。
【図１０】図１０には、図７の法面用ハーネス型安全帯の他の使用状態の説明図である。
【発明を実施するための形態】
【００１６】
以下、適宜図面が参照されつつ、好ましい実施形態に基づいて本発明が詳細に説明される。
【００１７】
図１には、本発明に係る法面用ハーネス型安全帯２が示されている。図１には、背面から見た安全帯２が示されている。図１において、紙面に垂直な方向が安全帯２の前後方向であり、左右方向が安全帯２の左右方向であり、上下方向が安全帯２の上下方向である。
【００１８】
この安全帯２は、主ベルト４と、バックサイドベルト６と、一体化ベルト８と、一対の端部吊りベルト１０と、中央吊りベルト１２、連結ベルト１４と、ベルト連結具としての３つのバックル１６と、前ベルト固定具としての前Ｄ環止め１８と、前連結環として前Ｄ環２０と、後ベルト固定具としての後Ｄ環止め２２と、後連結環として後Ｄ環２４と、胴吊りベルト２６とを備えている。
【００１９】
主ベルト４は、一対の肩掛けベルト２８と一対の腿掛けベルト３０を備えている。それぞれの肩掛けベルト２８は、左右方向いずれか一方の腿掛けベルト３０から左右方向他方の装着者の肩位置で折り返されて、左右方向一方の腿掛けベルト３０まで延びる。この上方での折り返しにより、肩掛けベルト２８には、前肩掛けベルト部２８ａ及び後肩掛けベルト部２８ｂが形成されている。
【００２０】
前肩掛けベルト部２８ａと後肩掛けベルト部２８ｂとは、折り返し位置と腿掛けベルト３０との間で交差している。この交差によって、側交差部２８ｃが形成されている。一対の前肩掛けベルト２８ａは、左右方向いずれか一方の腿掛けベルト３０から左右方向他方の装着者の肩位置まで互いに逆向きに傾斜して延びている。一対の前肩掛けベルト２８ａは、互いに交差して前交差部２８ｄを形成している。一対の後肩掛けベルト２８ｂは、左右方向いずれか一方の装着者の肩位置から左右方向他方の腿掛けベルト３０まで互いに逆向きに傾斜して延びている。一対の後肩掛けベルト２８ｂは、互いに交差して後交差部２８ｅを形成している。
【００２１】
この安全帯２では、一方の肩掛けベルト２８で、その前肩掛けベルト部２８ａが前交差部２８ｄと側交差部２８ｃとの間で分割されている。分割された前肩掛けベルト部２８ａの一方の端部にバックル１６の本体１６ａが取り付けられている。その他方の端部にバックル１６のタングプレート１６ｂが取り付けられている。この本体１６ａにタングプレート１６ｂが差し込まれることで、分割された前肩掛けベルト部２８ａの一方の端部と他方の端部とが連結される。この本体１６ａからタングプレート１６ｂが抜かれることで、この前肩掛けベルト部２８ａの一方の端部と他方の端部とは、連結解除される。
【００２２】
一方の肩掛けベルト２８の前肩掛けベルト部２８ａの下端部と後肩掛けベルト部２８ｂの下端部とは、一方の腿掛けベルト３０に連結されている。他方の肩掛けベルト２８の前肩掛けベルト部２８ａの下端部と後肩掛けベルト部２８ｂの下端部とは、他方の腿掛けベルト３０に連結されている。
【００２３】
それぞれの腿掛けベルト３０の一端部にバックル１６の本体１６ａが取り付けられている。その他端部にバックル１６のタングプレート１６ｂが取り付けられている。この本体１６ａにタングプレート１６ｂが差し込まれることで、腿掛けベルト３０の一端部と他端部とが連結解除可能に連結されている。腿掛けベルト３０は、このバックル１６によって一端部と他端部とが連結され環状にされる。この環状にされた腿掛けベルト３０は、装着者の腿に巻かれる。
【００２４】
前Ｄ環止め１８は、一対の肩掛けベルト２８が形成する前交差部２８ｄに、位置している。この前Ｄ環止め１８に、一対の前肩掛けベルト２８ａが交差して通されている。この前Ｄ環止め１８は、一対の前肩掛けベルト２８ａに取り付けられている。この前Ｄ環止め１８に一対の肩掛けベルト２８が交差して通される。この交差した一対の肩掛けベルト２８と前Ｄ環２０とが連結されている。
【００２５】
後Ｄ環止め２２は、一対の肩掛けベルト２８が形成する後交差部２８ｅに、位置している。この後Ｄ環止め２２に、一対の後肩掛けベルト部２８ｂが交差して通されている。この後Ｄ環止め２２は、一対の後肩掛けベルト部２８ｂに取り付けられている。この後Ｄ環止め２２に一対の肩掛けベルト２８が交差して通される。この交差した一対の肩掛けベルト２８と後Ｄ環２４とが連結されている。
【００２６】
バックサイドベルト６は、幅広のベルト本体６ａと、一対の取付バンド６ｂと、一対の連結環としての一対の側Ｄ環３２とを備えている。それぞれの取付バンド６ｂは、ベルト本体６ａの左右方向端部に縫着されている。この縫着によって、縫着部６ｃが形成されている。側Ｄ環３２は、取付バンド６ｂの縫着によって、ベルト本体６ａの左右方向端部に連結されている。このバックサイドベルト６は、法面作業において、装着者の臀部に当接する。側Ｄ環３２に例えば支持ロープが連結されて、支持ロープの張力でバックサイドベルト６が装着者の臀部を支持する。
【００２７】
それぞれの端部吊りベルト１０は、上下方向に延びる本体１０ａと、本体１０ａの上端に連続する端部吊り重合部１０ｂとを備えている。本体１０ａの下端部はバックサイドベルト６に縫着されている。ここでは、この下端部は縫着部６ｃに縫着されている。端部吊り重合部１０ｂは、環状の形状を備えている。この安全帯２では、端部吊りベルト１０は、一本のベルトで形成され、上方で折り返されている。この折り返し部の先端部が本体１０ａに縫着されて、縫着部１０ｃを形成している。この折り返しと縫着とによって、端部吊り重合部１０ｂが形成されている。この端部吊りベルト１０は、この端部吊り重合部１０ｂで、一体化ベルト８に連結されている。
【００２８】
中央吊りベルト１２は、上下方向に延びる本体１２ａと、本体１２ａの上端に連続する中央吊り重合部１２ｂとを備えている。本体１２ａの下端部はベルト本体６ａの左右方向中央部に縫着されている。中央吊り重合部１２ｂは、環状の形状を備えている。この安全帯２では、中央吊りベルト１２は、本体１２ａを形成するベルトが上方で折り返されている。この折り返し部の先端部が着脱可能な留め具に通されて固定されている。この折り返しによって、中央吊り重合部１２ｂが形成されている。この中央吊りベルト１２は、この中央吊り重合部１２ｂで、一体化ベルト８に連結されている。
【００２９】
一体化ベルト８は、一体化ベルト本体３４と、ベルト通し具としての一対の通し環３６とを備えている。一体化ベルト本体３４は、バックサイドベルト６の上方に位置して、装着者の背面で左右方向に延びる。この一体化ベルト本体３４の左右端部に、それぞれ通し環３６が取り付けられている。
【００３０】
この安全帯２では、一体化ベルト本体３４には、左右方向中央に位置するベルト中央重合部３４ａと、ベルト中央重合部３４ａを間にして左右に位置する一対のベルト側重合部３４ｂとが形成されている。一体化ベルト本体３４は、左右方向一方の端部から他方の端部まで延びる外ベルト部３４ｃと内ベルト部３４ｄとが重ね合わされて形成されている（図２参照）。外ベルト部３４ｃと内ベルト部３４ｄとが縫着されて、一体化ベルト本体３４を形成している。この縫着によって、複数の縫着部３４ｅが形成されている。この縫着によって、外ベルト部３４ｃと内ベルト部３４ｄとが、ベルト中央重合部３４ａ及び一対のベルト側重合部３４ｂを形成している。
【００３１】
連結ベルト１４は、連結ベルト本体１４ａ、取付バンド１４ｂ及び連結環１４ｃを備えている。連結ベルト本体１４ａの基端部は前Ｄ環２０に連結されている。連結ベルト本体１４ａの先端部に連結環１４ｃが取り付けられている。この先端部に取付バンド１４ｂが取り付けられている。この取付バンド１４ｂによって、連結ベルト本体１４ａの先端部は肩掛けベルト２８に取り付け取り外し可能である。この安全帯２は、例えば、連結環１４ｃに命綱が連結されて使用される。
【００３２】
胴吊りベルト２６は、胴吊りベルト本体２６ａ及び胴吊り重合部２６ｂを備えている。胴吊りベルト本体２６ａの上端部は、後Ｄ環２４に連結されている。胴吊り重合部２６ｂは、環状の形状を備えている。この安全帯２では、胴吊りベルト２６は、一本のベルトで形成され、下方で折り返されている。この折り返し部が胴吊りベルト本体２６ａに留め具で着脱可能に固定されている。この折り返しによって、胴吊り重合部２６ｂが形成されている。この胴吊りベルト２６は、この胴吊り重合部２６ｂで、一体化ベルト８に連結されている。
【００３３】
図２には、図１の二点鎖線IIで表した部分の斜視図が示されている。図２に示される様に、一体化ベルト８では、一体化ベルト本体３４は、外ベルト部３４ｃと内ベルト部３４ｄとが重ね合わされて形成されている。外ベルト部３４ｃと内ベルト部３４ｄとが縫着されて、ベルト側重合部３４ｂが形成されている。ベルト側重合部３４ｂは環状の形状を備えている。
【００３４】
前肩掛けベルト部２８ａは、外ベルト部２８ｆと内ベルト部２８ｇとが重ね合わされて形成されている。この外ベルト部２８ｆと内ベルト部２８ｇとは、側交差部２８ｃを間にして、その上方と下方とで縫着されている。これらの縫着によって、ハーネス重合部としての前ハーネス重合部２８ｈが形成されている。前ハーネス重合部２８ｈは、環状の形状を備えている。
【００３５】
後肩掛けベルト部２８ｂは、外ベルト部２８ｊと内ベルト部２８ｋとが重ね合わされて形成されている。この外ベルト部２８ｊと内ベルト部２８ｋとは、側交差部２８ｃを間にして、その上方と下方とで縫着されている。これらの縫着によって、ハーネス重合部としての後ハーネス重合部２８ｍが形成されている。後ハーネス重合部２８ｍは、環状の形状を備えている。
【００３６】
ベルト側重合部３４ｂと端部吊り重合部１０ｂとが互いに通されて、一体化ベルト８と端部吊りベルト１０とが連結されている。このベルト側重合部３４ｂ及び端部吊り重合部１０ｂは、それぞれ縫着によって形成されている。この一体化ベルト８と端部吊りベルト１０とは、ベルト側重合部３４ｂ及び端部吊り重合部１０ｂの少なくともいずれか一方を破壊せずに、連結を解除できない状態にされている。本発明では、破壊することなしに取り外しができない状態で連結されることを、着脱不可の状態で連結されると称する。
【００３７】
このベルト側重合部３４ｂと前ハーネス重合部２８ｈとが互いに通されている。これにより一体化ベルト８と前肩掛けベルト部２８ａとが着脱不可の状態で連結されている。ベルト側重合部３４ｂと後ハーネス重合部２８ｍとが互いに通されている。これにより、一体化ベルト８と後肩掛けベルト部２８ｂとが着脱不可の状態で連結されている。更に、前ハーネス重合部２８ｈと後ハーネス重合部２８ｍとが互いに通されている。これにより、前肩掛けベルト部２８ａと後肩掛けベルト部２８ｂとが着脱不可の状態で連結されている。
【００３８】
この安全帯２では、一体化ベルト８と前肩掛けベルト部２８ａ及び後肩掛けベルト部２８ｂとが着脱不可の状態で連結されていればよい。従って、この安全帯２では、ハーネス重合部として、前ハーネス重合部２８ｈと後ハーネス重合部２８ｍとが形成されているが、いずれか一方であってもよい。更には、この安全帯２では、前ハーネス重合部２８ｈと後ハーネス重合部２８ｍとを形成せずに、前肩掛けベルト部２８ａと後肩掛けベルト部２８ｂとがベルト側重合部３４ｂに通されてもよい。
【００３９】
図３には、図２のIII−IIIに沿った断面が示されている。図３に示される様に、端部吊り重合部１０ｂにベルト側重合部３４ｂを形成する外ベルト部３４ｃが通されている。端部吊り重合部１０ｂは、ベルト側重合部３４ｂを形成する縫着部３４ｅの間で、外ベルト部３４ｃに沿って移動可能である。前ハーネス重合部２８ｈにベルト側重合部３４ｂを形成する内ベルト部３４ｄが通されている。前ハーネス重合部２８ｈは、ベルト側重合部３４ｂを形成する縫着部３４ｅの間で、内ベルト部３４ｄに沿って移動可能である。同様に、後ハーネス重合部２８ｍにベルト側重合部３４ｂを形成する内ベルト部３４ｄが通されている。後ハーネス重合部２８ｍは、ベルト側重合部３４ｂを形成する縫着部３４ｅの間で、内ベルト部３４ｄに沿って移動可能である。
【００４０】
更に、前ハーネス重合部２８ｈに後ハーネス重合部２８ｍを形成する内ベルト部２８ｋが通されている。前ハーネス重合部２８ｈは、後ハーネス重合部２８ｍを形成する縫着部の間で、内ベルト部２８ｋに沿って移動可能である。後ハーネス重合部２８ｍに前ハーネス重合部２８ｈを形成する外ベルト部２８ｆが通されている。後ハーネス重合部２８ｍは、前ハーネス重合部２８ｈを形成する縫着部の間で、外ベルト部２８ｆに沿って移動可能である。
【００４１】
この安全帯２では、前ハーネス重合部２８ｈと後ハーネス重合部２８ｍと端部吊り重合部１０ｂとは、一体化ベルト８の長手方向において、重なる位置に配置されている。この重なる位置で、前ハーネス重合部２８ｈと後ハーネス重合部２８ｍと端部吊り重合部１０ｂとは、相対的に移動可能である。
【００４２】
図４には、図２のIV−IVに沿った断面が示されている。ベルト側重合部３４ｂは、前ハーネス重合部２８ｈを形成する縫着部の間で、外ベルト部２８ｆに沿って移動可能である。ベルト側重合部３４ｂは、後ハーネス重合部２８ｍを形成する縫着部の間で、外ベルト部２８ｊに沿って移動可能である。更に、ベルト側重合部３４ｂは、端部吊り重合部１０ｂにおいて、外ベルト部３４ｃの幅方向に移動可能である。
【００４３】
図５には、図１の線分Ｖ−Ｖに沿った断面が示されている。図５に示される様に、ベルト中央重合部３４ａは環状の形状を備えている。このベルト中央重合部３４ａと胴吊り重合部２６ｂとが互いに通されている。これにより、一体化ベルト８と胴吊りベルト２６とが連結されている。胴吊りベルト２６は、ベルト中央重合部３４ａを形成する縫着部３４ｅの間で、外ベルト部３４ｃに沿って移動可能である。
【００４４】
このベルト中央重合部３４ａと中央吊り重合部１２ｂとが互いに通されている。これにより、一体化ベルト８と中央吊りベルト１２とが連結されている。中央吊りベルト１２は、ベルト中央重合部３４ａを形成する縫着部３４ｅの間で、内ベルト部３４ｄに沿って移動可能である。
【００４５】
この安全帯２では、胴吊り重合部２６ｂと中央吊り重合部１２ｂとは、一体化ベルト８の長手方向において、重なる位置に配置されている。胴吊り重合部２６ｂと中央吊り重合部１２ｂと一体化ベルト８とは、相対的に移動可能である。
【００４６】
図６には、図１の線分VI−VIに沿った断面が示されている。ベルト中央重合部３４ａの外ベルト部３４ｃが胴吊り重合部２６ｂに通されている。胴吊り重合部２６ｂにおいて、一体化ベルト本体３４は、上下方向に移動可能である。ベルト中央重合部３４ａの内ベルト部３４ｄが中央吊り重合部１２ｂに通されている。中央吊り重合部１２ｂにおいて、一体化ベルト本体３４は、上下方向に移動可能である。
【００４７】
この安全帯２では、一体化ベルト８とバックサイドベルト６とが着脱不可の状態で連結されている。一体化ベルト８と主ベルト４の肩掛けベルト２８とが着脱不可の状態で連結されている。この安全帯２は、一体化ベルト８を介して、主ベルト４とバックサイドベルト６とが着脱不可の状態で連結されている。これにより、バックサイドベルト６を装着するときに、主ベルト４が装着される。即ち、バックサイドベルト６を必要とする法面作業を行う場合、着脱不可の状態で連結されている主ベルト４も装着されることとなる。このことは、墜落、転落災害を防止するための主ベルト４を必ず装着することとなる。この安全帯２は、安全性に優れている。
【００４８】
この安全帯２では、一体化ベルト８は、それぞれの肩掛けベルト２８と交差する位置にベルト側重合部３４ｂを備えている。肩掛けベルト２８は、ベルト側重合部３４ｂに通されて、連結されている。ベルト側重合部３４ｂの開口幅は肩掛けベルト２８の幅より大きい。ベルト側重合部３４ｂの開口幅と肩掛けベルト２８の幅との差の範囲で、肩掛けベルト２８をベルト側重合部３４ｂに対して移動可能である。これにより、主ベルト４に対して一体化ベルト８の配置位置が調整可能である。主ベルト４に対してバックサイドベルト６の配置位置が調整可能である。これにより、着脱不可の状態で連結されているにも関わらず、装着者の体型に合わせてバックサイドベルト６の位置の微調整が容易にされている。
【００４９】
装着者が作業時に前屈したり身体を捻ったりして体勢を変えるときに、身体に沿って配置された前肩掛けベルト部２８ａ又は後肩掛けベルト部２８ｂが肩の方向に引っ張られる。このとき、主ベルト４の交差部が縫着され固定されている安全帯では、引っ張られる前肩掛けベルト部２８ａ又は後肩掛けベルト部２８ｂによって、主ベルト４の交差部が肩の方向に引っ張られる。この様な安全帯は、装着感を損ない、装着者の体勢変更を抑制し、装着者に煩わしさを感じさせる。これに対して、この安全帯２では、前ハーネス重合部２８ｈと後ハーネス重合部２８ｍとが互いに通されているので、前肩掛けベルト部２８ａ又は後肩掛けベルト部２８ｂが装着者の体勢変更に追随して移動する。この安全帯２は、装着感を損なわない。
【００５０】
この安全帯２では、バックサイドベルト６に連結された端部吊りベルト１０は端部吊り重合部１０ｂを備えている。この端部吊り重合部１０ｂとベルト側重合部３４ｂとが互いに通されて、バックサイドベルト６と一体化ベルト８とが連結されている。これにより、着脱不可の状態で連結されていても、一体化ベルト８に対して、バックサイドベルト６の位置調整が容易にされている。
【００５１】
主ベルト４は、一体化ベルト８と交差する位置に縫着されて環状に形成された前ハーネス重合部２８ｈ及び後ハーネス重合部２８ｍを備えている。ベルト側重合部３４ｂと前ハーネス重合部２８ｈ及び後ハーネス重合部２８ｍとが互いに通されている。これにより、一体化ベルト８と主ベルト４とは、互いに相対的に移動可能な範囲を規制する。これにより、主ベルト４と一体化ベルト８との位置関係が所定の範囲に規制される。この安全帯２では、主ベルト４と一体化ベルト８との位置関係を調整可能にしつつ、その位置関係を所定の範囲に保持している。この位置関係を所定の範囲に保持することで、この安全帯２の着脱が容易にされている。
【００５２】
この安全帯２は、一体化ベルト８の左右方向中央部と後交差部２８ｅとを連結する、胴吊りベルト２６を備えている。この胴吊りベルト２６を備えることで、主ベルト４に対して、一体化ベルト８が所定の位置からずれることが抑制されている。
【００５３】
更に、胴吊り重合部２６ｂとベルト中央重合部３４ａとが互いに通されて、胴吊りベルト２６と一体化ベルト８とが連結されている。この胴吊りベルト２６と一体化ベルト８との位置関係を調整可能にしつつ、その位置関係が所定の範囲に保持されている。
【００５４】
この安全帯２では、連結ベルト１４の連結環１４ｃに命綱が連結される。この前交差部２８ｄを備えているので、連結ベルト１４が引かれたときに、主ベルト４では、肩掛けベルト２８の長手方向に張力が生じる。これにより、一対の肩掛けベルト２８が互いに左右方向内側に引き寄せられることが抑制されている。これにより、主ベルト４が連結ベルト１４によって引かれても、一対の肩掛けベルト２８が左右方向内側に引き寄せられることによって装着者の身体が圧迫されることが抑制されている。
【００５５】
この安全帯２の装着者は、作業中において前屈したり身体を捩ったりする。この様な作業中に、装着者の腰部は動作する身体の中心位置にある。このため、装着者の腰部の移動量は、他の部位のそれに比べて小さい。この安全帯２では、側交差部２８ｃが装着者の左右の腰部に位置するので、この側交差部２８ｃの移動量は小さい。この安全帯２では、装着者が動作するときに、側交差部２８ｃが大きく位置を変えることが、抑制されている。この安全帯２では、装着者の動作によって、主ベルト４が引っ張られ装着感が損なわれることが抑制されている。また、主ベルト４が装着者の体勢変更の妨げになることが抑制されている。
【００５６】
この安全帯２は、バックサイドベルト６の左右端部から上方に延びる一対の端部吊りベルト１０を備えている。それぞれの端部吊りベルト１０では、端部吊り重合部１０ｂが左右の側交差部２８ｃと重なる様に配置されている。これにより、この安全帯２では、バックサイドベルト６は、法面作業で体重を預ける装着者の臀部の背面から側面までを包み込むように配置されうる。
【００５７】
この安全帯２では、端部吊りベルト１０の端部吊り重合部１０ｂは、一体化ベルト８の外ベルト部３４ｃに通されている。主ベルト４の前ハーネス重合部２８ｈ及び後ハーネス重合部２８ｍは、一体化ベルト８の内ベルト部３４ｄに通されている。これにより、端部吊り重合部１０ｂと前ハーネス重合部２８ｈ及び後ハーネス重合部２８ｍとは、重なる位置に配置されうる。端部吊り重合部１０ｂと前ハーネス重合部２８ｈ及び後ハーネス重合部２８ｍとは、一体化ベルト本体３４の長手方向において、互いの移動を規制しない。この安全帯２は、装着感に優れている。
【００５８】
この安全帯２は、前交差部２８ｄと後交差部２８ｅとを備えている。この安全帯２は、前述の様に、連結ベルト１４が引かれても、一対の肩掛けベルト２８の位置がずれ難い。同様に、後交差部２８ｅに位置する連結環を後方に引かれても、一対の肩掛けベルト２８の位置がずれ難い。これにより、主ベルト４が前後いずれの方向に引かれても、一対の肩掛けベルト２８によって装着者の身体が圧迫されることが抑制されている。更に、前交差部２８ｄと後交差部２８ｅとを備えることで、この安全帯２は脱げ難くなっている。この安全帯２は、安全性に優れている。
【００５９】
この安全帯２は、一方の肩掛けベルト２８を連結解除可能に連結するバックル１６を備えている。一方の肩掛けベルト２８は、前交差部２８ｄと一体化ベルト８のベルト側重合部３４ｂとの間で、連結解除可能に連結されている。このバックル１６で一方の肩掛けベルト２８の連結を解除することで、前交差部２８ｄと後交差部２８ｅとの間で、一対の肩掛けベルト２８の間に装着者が頭部を入れることが容易になっている。安全帯２は、前述に様に脱げ難くなっている一方で、装着が容易にされている。
【００６０】
このバックル１６は、装着を容易にする観点から、少なくともいずれか一方の肩掛けベルト２８に設けられることが好ましい。着脱を容易にする観点から、バックル１６は、好ましくは前肩掛けベルト部２８ａに、更に好ましくは前交差部２８ｄと一体化ベルト８のベルト側重合部３４ｂとの間で前肩掛けベルト部２８ａに、設けられる。
【００６１】
また、このバックル１６は、肩掛けベルト２８の折り返し部よりも、側交差部２８ｃと前交差部２８ｄとの間の前肩掛けベルト部２８ａに設けられることが好ましい。このバックル１６で肩掛けベルト２８の連結を解除した状態でも、前交差部２８ｄと後交差部２８ｅとの間の一対の肩掛けベルト２８によって、安全帯２は装着者の肩で支持されうる。これにより、安全帯２の着脱が容易にできる。この観点から、このバックル１６は、側交差部２８ｃと後交差部２８ｅとの間の後肩掛けベルト部２８ｂに設けられてもよい。
【００６２】
この安全帯２では、一対の肩掛けベルト２８の一方で連結が解除され、他方で連結された状態で、装着される。これにより、安全帯２は装着者の肩で支持されうる。一対の肩掛けベルト２８の両方の連結を解除した状態では、安全帯２は装着者の肩で支持され得ない。また、一対の肩掛けベルト２８の一方で連結が解除された安全帯２は、装着時にも装着状態に近い形態を保持しうる。この安全帯２は、いずれか一方の連結を解除した状態の方が、装着し易い。装着時に、誤って、一対の肩掛けベルト２８の両方の連結を解除しない観点から、バックル１６は、肩掛けベルト２８のいずれか一方に設けることが好ましい。
【００６３】
図７には、本発明の他の実施形態に係る法面用ハーネス型安全帯４２が示されている。この図７は、背面から見た安全帯４２が示されている。ここでは、安全帯２と異なる構成について説明がされる。安全帯２と同様に構成については、その説明が省略される。ここでは、安全帯２と同様の構成については、同じ符号を用いて説明がされる。この安全帯４２は、胴ベルト４４を備えている。この安全帯４２は、前述の安全帯２に、胴ベルト４４が装着されたものである。
【００６４】
この胴ベルト４４は、胴ベルト本体４４ａ及びバックル４４ｂを備えている。このバックル４４ｂは、胴ベルト本体４４ａの基端部に取り付けられている。この胴ベルト４４は、一体化ベルト８の外側に、一体化ベルト８に沿って重ねられて延びている。この胴ベルト本体４４ａが一対の通し環３６に通されて、一体化ベルト８に着脱可能に取り付けられている。
【００６５】
この胴ベルト４４は、バックル４４ｂに胴ベルト本体４４ａが通されて、環状にされる。この環状にされた胴ベルト４４では、装着者の腰に巻かれる。このバックル４４ｂに固定される胴ベルト本体４４ａの長手方向位置が調整可能である。この長手方向位置が調整されることで、環状部分の長さが調整可能である。これにより、この胴ベルト４４は、装着者の腰周りに合わせて装着される。
【００６６】
図８には、図７の線分VIII−VIIIに沿った断面が示されている。図８に示される様に、この胴ベルト本体４４ａは、胴吊りベルト２６の胴吊り重合部２６ｂに通されている。
【００６７】
図９には、前面から見た安全帯４２が示されている。図９では、肩掛けベルト２８のバックル１６の本体１６ａにタングプレート１６ｂが差し込まれている。分割された肩掛けベルト２８が、バックル１６によって連結されている。腿掛けベルト３０では、バックル１６によって一端部と他端部とが連結され環状にされる。
【００６８】
図９に示される様に、この安全帯４２では、前肩掛けベルト２８ａの下端部と後肩掛けベルト２８ｂの下端部とが腿掛けベルト３０に縫着されている。この縫着によって、肩掛けベルト２８と腿掛けベルト３０とが連結されている。図１の安全帯２では、図示されなかったが、この安全帯４２と同様に、肩掛けベルト２８と腿掛けベルト３０とが縫着されている。
【００６９】
図１０には、安全帯４２と共に、腰袋４６及びペンチケース４８が示されている。図１０には、背面から見た安全帯４２が示されている。
【００７０】
腰袋４６は、工具や部品が収納される袋である。腰袋４６は、本体４６ａ及びベルト通し４６ｂを備えている。この腰袋４６のベルト通し４６ｂに胴ベルト本体４４ａが通されている。胴ベルト本体４４ａがベルト通し４６ｂの一方の開口から他方の開口まで挿入されて、この腰袋４６は装着される。胴ベルト本体４４ａがベルト通し４６ｂから引き出されて、この腰袋４６は取り外される。この腰袋４６は、胴ベルト本体４４ａを通し環３６から外さなければ、胴ベルト本体４４ａに着脱できない構成にされている。
【００７１】
ペンチケース４８は、ペンチなどの工具を収容するケースである。ペンチケース４８は、本体４８ａ及びベルト通し４８ｂを備えている。このベルト通し４８ｂは、ベルト通し４６ｂと同様に、胴ベルト本体４４ａを通し環３６から外さなければ、胴ベルト本体４４ａに着脱できない構成にされている。
【００７２】
図１０では、胴吊りベルト２６の胴吊り重合部２６ｂと通し環３６との間で、胴ベルト本体４４ａに腰袋４６及びペンチケース４８が装着されている。
【００７３】
この安全帯４２は、胴ベルト４４を備えている。この胴ベルト４４は、一体化ベルト８の通し環３６に通されている。この胴ベルト４４に一体化ベルト８が取り付けられている。この胴ベルト４４が装着者の腰回りに装着される。これにより、一体化ベルト８は、装着者の腰回りに確りと位置決めされる。胴ベルト４４が腰回りに締められることで、定まった主ベルト４と一体化ベルト８との位置関係のずれが抑制される。
【００７４】
この安全帯４２では、胴ベルト４４は胴吊り重合部２６ｂに通されている。これにより、胴ベルト４４に、腰袋４６やペンチケース４８等を取り付けても、胴ベルト４４が重みで下がることが抑制されている。更に、この安全帯４２では、中央吊りベルト１２を備えることで、バックサイドベルト６が下方に下がることが抑制されている。
【００７５】
この胴ベルト４４は、胴吊り重合部２６ｂと通し環３６との間に、腰袋４６やペンチケース４８等を取り付けうる。この安全帯４２では、側交差部２８ｃの制約を受けることなく、腰袋４６やペンチケース４８等を取り付けることができる。この安全帯４２ででは、腰袋４６やペンチケース４８の取り付け可能範囲が広くなっている。
【００７６】
この安全帯４２では、腰袋４６やペンチケース４８が、胴ベルト本体４４ａを通し環３６から外さなければ、胴ベルト本体４４ａに着脱できない構成にされている。これにより、高所作業中に、腰袋４６やペンチケース４８が胴ベルト４４から外れることが防止される。
【００７７】
一方で、この胴ベルト４４は、一体化ベルト８の通し環３６と胴吊り重合部２６ｂに通されて、取り付けられている。この胴ベルト４４だけを取り付け、取り外しできる。この胴ベルト４４の取り付け取り外しにより、腰袋４６やペンチケース４８の取り付け取り外しが容易にできる。
【００７８】
腰袋４６やペンチケース４８が取り付けられた安全帯４２は、重量が増加している。この安全帯４２は、肩掛けベルト２８の連結を解除するバックル１６を備えている。前述の様に、このバックル１６の連結を解除することで、この安全帯４２は装着が容易にされている。この安全帯４２は、装着時に装着者の肩で支持される。装着時に肩で支持することで、重量が増加した状態でも、この安全帯４２の装着が比較的に容易にされている。この安全帯４２は、腰袋４６やペンチケース４８に工具や部品等を入れた状態でも、容易に装着しうる。
【００７９】
この安全帯４２は、主ベルト４とバックサイドベルト６と一体化ベルト８とが着脱不可の状態で連結されている。縫着によって、着脱不可の状態で連結されつつ、主ベルト４とバックサイドベルト６と一体化ベルト８とがそれぞれ互いに相対的に移動可能である。更に、主ベルト４の前肩掛けベルト部２８ａと後肩掛けベルト部２８ｂとも相対的に移動可能である。これにより、この安全帯４２は、装着者の動作を制約することが抑制されている。この安全帯４２は、装着性に優れている。更に、主ベルト４とバックサイドベルト６と一体化ベルト８とが相互に移動できる範囲を所定の範囲に規制しているので、形態が崩れることが抑制されている。形態が崩れることが抑制されているので、この安全帯４２は着脱が容易にされている。
【産業上の利用可能性】
【００８０】
以上説明された法面用ハーネス型安全帯は、法面作業に用いられる安全帯に広く適用されうる。
【符号の説明】
【００８１】
２、４２・・・安全帯
４・・・主ベルト
６・・・バックサイドベルト
８・・・一体化ベルト
１０・・・端部吊りベルト
１０ｂ・・・端部吊り重合部
１２・・・中央吊りベルト
１２ｂ・・・中央吊り重合部
１６・・・バックル
２６・・・胴吊りベルト
２６ｂ・・・胴吊り重合部
２８・・・肩掛けベルト
２８ｃ・・・側交差部
２８ｄ・・・前交差部
２８ｅ・・・後交差部
２８ｈ・・・前ハーネス重合部
２８ｍ・・・後ハーネス重合部
３０・・・腿掛けベルト
３４・・・一体化ベルト本体
３４ａ・・・ベルト中央重合部
３４ｂ・・・ベルト側重合部
３６・・・通し環
４４・・・胴ベルト
【図１】
2020110275.tif 000003
【図２】
2020110275.tif 000004
【図３】
2020110275.tif 000005
【図４】
2020110275.tif 000006
【図５】
2020110275.tif 000007
【図６】
2020110275.tif 000008
【図７】
2020110275.tif 000009
【図８】
2020110275.tif 000010
【図９】
2020110275.tif 000011
【図１０】
2020110275.tif 000012